(57)【特許請求の範囲】
【請求項１】
ケミカルアンカーインジェクションカートリッジにおいて、
主材を収容する収容空間を持つ容器である主材カートリッジ；
硬化剤を収容する収容空間を持つ容器である硬化剤カートリッジ；
前記主材カートリッジ及び前記硬化剤カートリッジのそれぞれの収容空間と流体連結可能に連結され、前記主材及び前記硬化剤を吐き出すための吐出部；及び
前記吐出部に結合するための結合部を持ち、前記吐出部と結合し、前記吐出部を通じて吐き出される主材及び硬化剤を混合させながら、アンカーボルトが挿入された母材の孔に注入するための注入ノズルを含み、
前記結合部は内面に締結突条を持ち、
前記吐出部は前記主材及び前記硬化剤が吐き出される方向に垂直な断面形状が円形であり、前記吐出部は、前記主材カートリッジの収容空間と流体連結可能に連結されている主材吐出口；前記硬化剤カートリッジの収容空間と流体連結可能に連結されている硬化剤吐出口；及び締結溝を含み、
前記締結溝は、
前記吐出部の軸方向に伸びる挿入部；及び
前記挿入部の終端点から前記吐出部の円周面に沿って第１方向に伸びる第１ガイド部を含み、
前記締結突条は、前記挿入部に沿って前記締結溝内に挿入された後、前記第１ガイド部によって前記第１方向に回転することによって前記吐出部に結合されること、
前記締結溝は、前記挿入部の終端点から前記吐出部の円周面に沿って伸び、前記第１方向の反対方向である第２方向に伸びる第２ガイド部をさらに含むことを特徴とする、
ケミカルアンカーインジェクションカートリッジ。
【請求項２】
前記挿入部は、第１スライド面、及び前記第１スライド面に垂直な第１側壁を含み、
前記第１ガイド部は、前記第１スライド面から伸びる第２スライド面、及び前記第１側壁から伸びて前記第２スライド面に垂直な第２側壁を含み、
前記第１スライド面は、前記吐出部の前端部から前記第２スライド面に行くほど厚さが増加し、
前記第２スライド面は、前記第１スライド面の増加した厚さに対応する厚さを持ち、
前記締結溝は、前記第２側壁に設けられた突起収容部をさらに含み、
前記締結突条は前記第１ガイド部に沿って移動して前記突起収容部内に位置することを特徴とする、請求項１に記載のケミカルアンカーインジェクションカートリッジ。
【請求項３】
ケミカルアンカーインジェクションカートリッジにおいて、
主材を収容する収容空間を持つ容器である主材カートリッジ；
硬化剤を収容する収容空間を持つ容器である硬化剤カートリッジ；
前記主材カートリッジ及び前記硬化剤カートリッジのそれぞれの収容空間と流体連結可能に連結され、前記主材及び前記硬化剤を吐き出すための吐出部であって、前記吐出部は、前記主材及び前記硬化剤が吐き出される方向に垂直な断面形状が円形であり、前記主材カートリッジの収容空間と流体連結可能に連結されている主材吐出口、及び前記硬化剤カートリッジの収容空間と流体連結可能に連結されている硬化剤吐出口を含む吐出部；
前記主材吐出口及び前記硬化剤吐出口に結合して前記主材吐出口及び前記硬化剤吐出口を密閉する吐出口栓；及び
前記吐出部に結合され、前記吐出口栓が結合された状態を固定するための蓋を含み、
前記吐出部はテーパー面を持つ複数の係合突条を持ち、
前記蓋の内面は前記複数の係合突条に結合する複数の係合突条を有し、
前記蓋は前記吐出部に嵌合され、前記吐出部の円周方向に回転されれば、前記複数の係合突条及び前記複数の係合突条が互いに結合して前記蓋が前記吐出部に結合されることを特徴とする、ケミカルアンカーインジェクションカートリッジ。
【発明の詳細な説明】
【技術分野】
【０００１】
本発明はケミカルアンカーインジェクションカートリッジに関するもので、注入ノズルまたは蓋の結合構造がワンタッチ式構造を持つケミカルアンカーインジェクションカートリッジに関するものである。
【背景技術】
【０００２】
一般に、ケミカルアンカーは、コンクリートや気泡コンクリートまたは岩盤などの母材に孔を穿孔し、アンカーボルトを孔に押し入れた後、化学物質で孔の残り空間に充填させることによって接着凝固させてアンカーボルトを固着させるのに使われるもので、大型容器と小型容器にそれぞれ収容された主材と硬化剤が一側の吐出口を通じて吐き出されながら互いに混合され、このように混合される過程で化学反応によって孔の内部で堅く固着するものである。
【０００３】
また、前記のような構成のケミカルアンカーは、円形主材容器の一側に硬化剤容器が一体に形成された状態で、先端部に形成された吐出口を通じて排出される形態を持つ専用容器に収容されて販売及び流通される。
【０００４】
ケミカルアンカー専用カートリッジの従来技術として、大韓民国登録実用新案第２０−０３７０８４７号のケミカルアンカー用吐出部開閉構造がある。この考案は、吐出部にネジ部が形成され、押出棒の内面に雌ネジ部が形成され、押出棒を吐出部に結合するとき、螺合方式で結合される。したがって、押出棒を吐出部に結合するとき、螺旋方向に押出棒を回して結合しなければならないので、押出棒及び吐出部の結合方式が不便であった。
【発明の概要】
【発明が解決しようとする課題】
【０００５】
本発明者はこのような従来の問題を解決するために、研究した結果、ケミカルアンカーインジェクションカートリッジの吐出部に注入ノズルを結合するとき、注入ノズルを吐出部に嵌合した後、一方向に少しだけ回転させることにより注入ノズルが吐出部に結合されることができる、注入ノズルのワンタッチ式結合が可能であり、注入ノズルが吐出部に堅く結合可能なケミカルアンカーインジェクションカートリッジを開発することに至った。
【課題を解決するための手段】
【０００６】
本発明は、主材を収容する収容空間を持つ容器である主材カートリッジ；硬化剤を収容する収容空間を持つ容器である硬化剤カートリッジ；前記主材カートリッジ及び前記硬化剤カートリッジのそれぞれの収容空間と流体連結可能に連結され、前記主材及び前記硬化剤を吐き出すための吐出部；及び前記吐出部に結合するための結合部を持ち、前記吐出部と結合し、前記吐出部を通じて吐き出される主材及び硬化剤を混合させながら、アンカーボルトが挿入された母材の孔に注入するための注入ノズルを含み、前記結合部は内面に締結突条を持ち、前記吐出部は前記主材及び前記硬化剤が吐き出される方向に垂直な断面形状が円形であり、前記吐出部は、前記主材カートリッジの収容空間と流体連結可能に連結されている主材吐出口；前記硬化剤カートリッジの収容空間と流体連結可能に連結されている硬化剤吐出口；及び締結溝を含むことを特徴とする、ケミカルアンカーインジェクションカートリッジを提供する。
【０００７】
前記締結溝は、前記吐出部の軸方向に伸びる挿入部；及び前記挿入部の終端点から前記吐出部の円周面に沿って第１方向に伸びる第１ガイド部を含み、前記締結突条は、前記挿入部に沿って前記締結溝内に挿入された後、前記第１ガイド部によって前記第１方向に回転することによって前記吐出部に結合される。
【０００８】
前記挿入部は、第１スライド面、及び前記第１スライド面に垂直な第１側壁を含み、前記第１ガイド部は、前記第１スライド面から伸びる第２スライド面、及び前記第１側壁から伸びて前記第２スライド面に垂直な第２側壁を含み、前記第１スライド面は、前記吐出部の前端部から前記第２スライド面に行くほど厚さが増加するように形成され、前記第２スライド面は、前記第１スライド面の増加した厚さに対応する厚さを持つように形成される。
【０００９】
一方、前記締結溝は、前記第２側壁に形成される突起収容部をさらに含み、この場合、前記締結突条は前記第１ガイド部に沿って移動して前記突起収容部内に位置する。
【００１０】
本発明の他の実施例によると、前記締結溝は、前記挿入部の終端点から前記吐出部の円周面に沿って伸び、前記第１方向の反対方向である第２方向に伸びる第２ガイド部をさらに含む。
【００１１】
本発明のさらに他の実施例によるケミカルアンカーインジェクションカートリッジは、主材を収容する収容空間を持つ容器である主材カートリッジ；硬化剤を収容する収容空間を持つ容器である硬化剤カートリッジ；前記主材カートリッジ及び前記硬化剤カートリッジのそれぞれの収容空間と流体連結可能に連結され、前記主材及び前記硬化剤を吐き出すための吐出部であって、前記吐出部は、前記主材及び前記硬化剤が吐き出される方向に垂直な断面形状が円形であり、前記主材カートリッジの収容空間と流体連結可能に連結されている主材吐出口、及び前記硬化剤カートリッジの収容空間と流体連結可能に連結されている硬化剤吐出口を含む吐出部；前記主材吐出口及び前記硬化剤吐出口に結合して前記主材吐出口及び前記硬化剤吐出口を密閉する吐出口栓；及び前記吐出部に結合され、前記吐出口栓が結合された状態を固定するための蓋を含み、前記吐出部はテーパー面を持つ複数の係合突条を持ち、前記蓋の内面には前記複数の係合突条に結合する複数の係合突条が形成され、前記蓋は前記吐出部に嵌合され、前記吐出部の円周方向に回転されれば、前記複数の係合突条及び前記複数の係合突条が互いに結合して前記蓋が前記吐出部に結合されることを特徴とする。
【発明の効果】
【００１２】
このような構成を持つ本発明のケミカルアンカーインジェクションカートリッジによれば、ケミカルアンカーインジェクションカートリッジの吐出部に結合される注入ノズルまたは蓋が半回転によるワンタッチ式で簡便に着脱されるので、カートリッジと注入ノズルの分離及び組立の作業が容易になされ、注入ノズルを連続的に使用し、溶液がすっかり消尽されたカートリッジのみの入替えを誘導することにより、カートリッジ入替え時間の短縮と産廃廃棄物の発生を低下させる効果がある。
【００１３】
また、本発明のケミカルアンカーインジェクションカートリッジは、吐出口に形成された締結溝のそれぞれのガイド部の厚さが増加し、前記締結溝に締結される突起を持つ注入ノズルが堅く結合されることにより、カートリッジの使用中にカートリッジの内部で発生する圧力によって注入ノズルが自然に分離されることを防止するように堅く組み立てられた状態を維持することができる効果がある。
【図面の簡単な説明】
【００１４】
【図１】本発明の一実施例によるケミカルアンカーインジェクションカートリッジの構成を示した分解斜視図である。
【図２】図１に示した吐出部を拡大して示す部分拡大斜視図である。
【図３】図１に示した吐出部の断面を拡大して示す部分拡大断面図である。
【図４】本発明の他の実施例によるケミカルアンカーインジェクションカートリッジを説明するための部分拡大斜視図である。
【図５】本発明のさらに他の実施例によるケミカルアンカーインジェクションカートリッジの構成を示した部分拡大斜視図である。
【図６】本発明のさらに他の実施例によるケミカルアンカーインジェクションカートリッジの構成を示した部分拡大斜視図である。
【図７】図６に示した実施例の結合断面図である。
【発明を実施するための形態】
【００１５】
以下、添付図面を参照して本発明の実施例によるキッチン用品殺菌装置について詳細に説明する。本発明は多様な変更を加えることができ、いろいろの形態を持つことができる。特定の実施例は図面に例示して本文に詳細に説明しようとする。しかし、これは本発明を特定の開示形態に限定しようとするものではなく、本発明の思想及び技術範囲に含まれるすべての変更、均等物ないし代替物を含むものに理解しなければならない。各図の説明において、類似の参照符号は類似の構成要素に対して使用した。添付図面において、構造物の寸法は本発明の明確性のために実際より拡大して示したものである。
【００１６】
第１、第２などの用語は多様な構成要素を説明するのに使われることができるが、前記構成要素は前記用語によって限定されてはいけない。前記用語は一構成要素を他の構成要素から区別するためにだけ使われる。例えば、本発明の権利範囲を離脱しない範疇内で第１構成要素は第２構成要素に命名することができ、同様に第２構成要素も第１構成要素に命名することができる。
【００１７】
本出願で使用した用語はただ特定の実施例を説明するために使用されたもので、本発明を限定しようとする意図ではない。単数の表現は、文脈上明らかに他に指示しない限り、複数の表現を含む。本出願において、“含む”または“持つ”などの用語は明細書上に記載された特徴、数字、段階、動作、構成要素、部分品またはこれらの組合せが存在することを現すためのもので、一つまたはそれ以上の他の特徴、数字、段階、動作、構成要素、部分品またはこれらの組合せなどの存在または付加の可能性を予め排除しないものに理解されなければならない。
【００１８】
特に定義がない限り、技術的ないし科学的な用語を含み、ここで使われるすべての用語は本発明が属する技術分野で通常の知識を持つ者によって一般的に理解されるものと同一の意味を持っている。一般的に使われる辞書に定義されているもののような用語は関連技術が文脈上持つ意味と一致する意味を持つものに解釈されなければならなく、本出願において明らかに定義しない限り、理想的なあるいは過度に形式的な意味に解釈されない。
【００１９】
図１は本発明の一実施例によるケミカルアンカーインジェクションカートリッジの構成を示した分解斜視図、図２は図１に示した吐出部を拡大して示す部分拡大斜視図、図３は図１に示した吐出部の断面を拡大して示す部分拡大断面図である。
【００２０】
図１〜図３を参照すれば、本発明の一実施例によるケミカルアンカーインジェクションカートリッジは、主材カートリッジ１１０；硬化剤カートリッジ１２０；吐出部１３０；及び注入ノズル１４０を含む。
【００２１】
主材カートリッジ１１０は、アンカーボルトを固着させるためのケミカル原料の中で主材を収容する部分である。主材カートリッジ１１０は前記主材を収容するための収容空間を持つ。主材カートリッジ１１０は前記収容空間を持つ容器で、中空の円筒形であることができる。前記円筒は、前記収容空間内に主材を注入することができるように、円筒の後方部は開放するとか、主材が注入可能な注入口が形成されることもできる。一例として、前記円筒はフレキシブルな素材であるとか、硬質のプラスチック素材であることができる。このような主材カートリッジ１１０の形状及び材質は例示的なものであるだけ、特にこれに制限されるものではない。
【００２２】
硬化剤カートリッジ１２０はアンカーボルトを固着させるためのケミカル原料の中で硬化剤を収容する部分である。硬化剤カートリッジ１２０は前記硬化剤を収容するための収容空間を持つ。このような硬化剤カートリッジ１２０は前記収容空間を持つ容器で、前記主材カートリッジ１１０と同一ないし類似の形状及び材質であることができるので、その詳細な説明は省略する。
【００２３】
吐出部１３０は主材カートリッジ１１０及び硬化剤カートリッジ１２０内に収容されている主材及び硬化剤を外部に吐き出すための部分である。このために、吐出部１３０は主材カートリッジ１１０及び硬化剤カートリッジ１２０の前方に位置し、主材カートリッジ１１０及び硬化剤カートリッジ１２０と流体連結可能に連結されている。一例として、吐出部１３０は硬化剤カートリッジ１２０及び主材カートリッジ１１０と一体に形成されることができる。このような吐出部１３０は、主材及び硬化剤が吐き出される方向に対して垂直な断面の形状が円形である。例えば、吐出部１３０は切頭円錐状であることができるが、特にこれに制限されなく、円筒状であることもできる。
【００２４】
このような吐出部１３０は、主材カートリッジ１１０から主材を吐き出すための主材吐出部１３０、及び硬化剤カートリッジ１２０から硬化剤を吐き出すための硬化剤吐出口１３２を含む。主材吐出口１３１は主材カートリッジ１１０の収容空間と流体連結可能に連結されており、硬化剤吐出口１３２は硬化剤カートリッジ１２０の収容空間と流体連結可能に連結されている。
【００２５】
一方、吐出部１３０は、注入ノズル１４０の結合のために、締結溝１３３を含む。締結溝１３３には、注入ノズル１４０の後述する締結突条１４１ａが結合される。締結溝１３３は前記締結突条１４１ａが前記吐出部１３０の軸方向に挿入された後、吐出部１３０の円周方向に移動するように案内する。このために、締結溝１３３は挿入部１３３１及び第１ガイド部１３３２を含む。
【００２６】
挿入部１３３１は吐出部１３０の前端部から吐出部１３０の軸方向に伸びる。このような挿入部１３３１は、第１スライド面１３３１ａ、及び第１スライド面１３３１ａに垂直な第１側壁１３３１ｂを含む。この際、第１スライド面１３３１ａは吐出部１３０の前端部から第１ガイド部１３３２に行くほど厚さが増加するように形成されている。
【００２７】
第１ガイド部１３３２は前記挿入部１３３１の終端点から吐出部１３０の円周面に沿って第１方向に伸びる。前記第１方向は、例えば反時計方向であることができる。このような第１ガイド部１３３２は、第１スライド面１３３１ａから伸びる第２スライド面１３３２ａ、及び第１側壁１３３１ｂから伸びて第２スライド面１３３２ａに垂直な第２側壁１３３２ｂを含む。この際、第２スライド面１３３２ａの厚さは第１スライド面１３３１ａの増加した厚さに対応する厚さを持ち、第２側壁１３３２ｂは前記締結突条１４１ａがかかる部分である。
【００２８】
このような挿入部１３３１及び第１ガイド部１３３２により、締結溝１３３は、平面視で‘Ｌ’字形に形成されることができる。締結溝１３３は吐出部１３０の外面の円周方向に多数形成される。
【００２９】
注入ノズル１４０は吐出部１３０と結合し、吐出部１３０を通じて吐き出される主材及び硬化剤を混合させながら、アンカーボルトが挿入された母材の孔に注入するための部分である。このような注入ノズル１４０は吐出部１３０と結合するための結合部１４１を含む。結合部１４１は吐出部１３０の形状に対応する形状を持ち、結合部１４１の内面には、前記締結溝１３３に締結される締結突条１４１ａを持つ。締結突条１４１ａは締結溝１３３の個数と同数で形成される。
【００３０】
このような本発明のケミカルアンカーインジェクションカートリッジは、吐出口に注入ノズル１４０をワンタッチ式で結合することができる。ワンタッチ式結合過程は以下に説明する。
【００３１】
注入ノズル１４０を吐出口に結合するとき、まず注入ノズル１４０の結合部１４１を吐出部１３０と対応させる。この際、結合部１４１の締結突条１４１ａが吐出部１３０に形成された締結溝１３３に対応して位置するようにする。
【００３２】
この状態で、注入ノズル１４０を吐出部１３０に嵌合した後、注入ノズル１４０を反時計方向に回転させる。この際、締結突条１４１ａは締結溝１３３の挿入部１３３１の内側に挿入された後、吐出部１３０の軸方向に移動し、注入ノズル１４０が反時計方向に回転する過程で締結突条１４１ａは締結溝１３３の第１ガイド部１３３２に沿って第１ガイド部１３３２の内側に移動する。
【００３３】
この過程で、挿入部１３３１の第１スライド面１３３１ａは第２スライド面１３３２ａに行くほど厚さが増加するので、締結突条１４１ａは第１スライド面１３３１ａに沿って移動し、第１スライド面１３３１ａの厚さが増加した領域に到達したとき、第１スライド面１３３１ａを押圧することになる。このような状態で、第２スライド面１３３２ａも第１スライド面１３３１ａの増加した厚さに対応する厚さを持つので、締結突条１４１ａは第１スライド面１３３１ａ及び第２スライド面１３３２ａを押圧する状態で第１ガイド部１３３２内に移動する。第１ガイド部１３３２内に移動した締結突条１４１ａは第２側壁１３３２ｂにかかる。このような過程によって締結突条１４１ａは締結溝１３３内に堅く締結される。
【００３４】
したがって、本発明の一実施例によるケミカルアンカーインジェクションカートリッジは、注入ノズル１４０を結合する過程がワンタッチ式で簡単になされることができ、注入ノズル１４０を吐出部１３０に堅固な状態に結合することができる。
【００３５】
一方、締結溝１３３の第１ガイド部１３３２の第２側壁１３３２ｂには突起収容部１３３２ｃがさらに形成されることができる。このような場合、注入ノズル１４０の締結突条１４１ａが締結溝１３３に締結されるとき、挿入部１３３１に挿入された後、第１ガイド部１３３２に沿って第１ガイド部１３３２内にまったく挿入されれば、突起収容部１３３２ｃ内にかかる。したがって、注入ノズル１４０の結合状態がもっと堅くなることができる。
【００３６】
発明を実施するための形態
以下では本発明の他の実施例によるケミカルアンカーインジェクションカートリッジを図４に基づいて本発明の一実施例によるケミカルアンカーインジェクションカートリッジとの相違点を中心に説明する。図４は本発明の他の実施例によるケミカルアンカーインジェクションカートリッジを説明するための部分拡大斜視図である。
【００３７】
図４を参照すれば、本発明の他の実施例によるケミカルアンカーインジェクションカートリッジは、締結溝１３３が第２ガイド部１３３３をさらに含むことを除き、本発明の一実施例によるケミカルアンカーインジェクションカートリッジと同様である。
【００３８】
第２ガイド部１３３３は挿入部１３３１の終端点から吐出部１３０の円周面に沿って伸びるが、第１ガイド部１３３２が伸びる第１方向の反対方向である第２方向に伸びる。第２方向は時計方向であることができる。締結溝１３３にこのような第２ガイド部１３３３が形成されることにより、締結溝１３３は、平面視で‘Ｔ’字形に形成されることができる。
【００３９】
したがって、吐出部１３０に注入ノズルを結合するとき、注入ノズルの締結突条を挿入部１３３１に挿入した後、注入ノズルを反時計方向または時計方向に回転させてもワンタッチ式結合が可能となる。
【００４０】
図５は本発明のさらに他の実施例によるケミカルアンカーインジェクションカートリッジの構成を示した部分拡大斜視図である。
【００４１】
図５を参照すれば、本発明のさらに他の実施例によるケミカルアンカーインジェクションカートリッジは、主材カートリッジ２１０；硬化剤カートリッジ２２０；吐出部２３０；吐出部栓２４０；及び蓋２５０を含む。
【００４２】
主材カートリッジ２１０及び硬化剤カートリッジ２２０は本発明の一実施例による主材カートリッジ１１０及び硬化剤カートリッジ１２０と同様であるので、これらについての詳細な説明は本発明の一実施例による主材カートリッジ１１０及び硬化剤カートリッジ１２０の説明を参照する。
【００４３】
吐出部２３０は主材吐出口２３１及び硬化剤吐出口２３２を含む。そして、吐出部２３０の外面にはテーパー面２３３ａを持つ複数の係合突条２３３が形成されている。このような吐出部２３０は、本発明の一実施例によるケミカルアンカーインジェクションカートリッジの吐出部１３０の締結溝１３３に代わる係合突条２３３が形成されることを除き、本発明の一実施例によるケミカルアンカーインジェクションカートリッジの吐出部１３０と類似しているので、その詳細な説明は本発明の一実施例によるケミカルアンカーインジェクションカートリッジの吐出部１３０の説明を参照する。
【００４４】
吐出部栓２４０は吐出部２３０に結合され、主材吐出口２３１及び硬化剤吐出口２３２を密閉する。このために、吐出部栓２４０は、主材吐出口２３１に結合される主材吐出口密閉部２４１、及び硬化剤吐出口２３２に結合される硬化剤吐出口密閉部２４２を含む。このような吐出口栓２４０は普段吐出部２３０に結合され、主材及び硬化剤が吐き出されることを遮断し、主材及び硬化剤を用いようとするとき、吐出部２３０から分離される。
【００４５】
蓋２５０は吐出部２３０に結合され、吐出口栓２４０が吐出部２３０に結合された状態を固定する。蓋２５０は普段吐出部２３０に結合され、主材及び硬化剤を用いようとするとき、吐出部２３０から分離される。このような蓋２５０が吐出部２３０に結合するために、内面には複数の係合突条２３３に結合する複数の係合突条２５１が形成されている。これにより、蓋２５０を吐出部２３０に嵌合して吐出部２３０の円周方向に回転させれば、複数の係合突条２３３及び前記複数の係合突条２５１が互いに係合することで、蓋２５０が吐出部２３０に結合される。
【００４６】
図６及び図７は本発明のさらに他の実施例によるケミカルアンカーインジェクションカートリッジの構成を示した部分拡大斜視図である。
【００４７】
図６を参照すれば、本発明のさらに他の実施例によるケミカルアンカーインジェクションカートリッジは、主材カートリッジ１１０；硬化剤カートリッジ１２０；吐出部１３０；及びノズル１４０；を含む。
【００４８】
主材カートリッジ１１０及び硬化剤カートリッジ１２０は前述した本発明の一実施例による主材カートリッジ１１０及び硬化剤カートリッジ１２０と同様であるので、これらについての詳細な説明は本発明の一実施例による主材カートリッジ１１０及び硬化剤カートリッジ１２０の説明を参照する。
【００４９】
吐出部１３０は、前述したように、主材カートリッジ１１０から主材を吐き出すための主材吐出部１３１、及び硬化剤カートリッジ１２０から硬化剤を吐き出すための硬化剤吐出口１３２を含む。主材吐出口１３１は主材カートリッジ１１０の収容空間と流体連結可能に連結され、硬化剤吐出口１３２は硬化剤カートリッジ１２０の収容空間と流体連結可能に連結されている。
【００５０】
一方、この実施例における吐出部１３０の特徴は、注入ノズル１４０との結合のために外周面に螺旋状突条１３４を含むことである。締結溝１３３には注入ノズル１４０の締結突条１４１ｂが結合される。
【００５１】
前記のような吐出部１３０の螺旋状突条１３４とノズル１４０の内面に形成された締結突条１４１ｂの構成により、ノズル１４０の締結突条１４１ｂ部分が吐出部１３０に結合された状態でノズル１４０を１８０度回転させる動作によって締結突条１４１ｂと螺旋状突条１３４が互いに密着した状態で回転してノズル１４０が吐出部１３０に堅く締結される。
【００５２】
前記のような吐出部１３０の螺旋状突条１３４とノズル１４０の締結突条１４１ｂの構成により、ノズル１４０を半回転させる動作のみでノズル１４０と吐出部１３０の結合及び分離が可能である特徴を持つ。
【００５３】
前述した実施例についての説明は任意の本発明の技術分野で通常の知識を持った者が本発明を利用するとかあるいは実施することができるように提供される。このような実施例の多様な変形は本発明の技術分野で通常の知識を持った者に明らかであろうし、これに定義された一般的な原理は本発明の範囲を逸脱することなしに他の実施例に適用可能である。したがって、本発明はここで提示した実施例に限定されるものではなく、ここで提示した原理及び新規の特徴と一貫した最広義の範囲で解釈されなければならないであろう。
【産業上の利用可能性】
【００５４】
本発明はケミカルアンカーインジェクションカートリッジの吐出部に結合される注入ノズルまたは蓋が半回転によるワンタッチ式で簡便に着脱されることによってカートリッジと注入ノズルの分離及び組立の作業が容易になるので、注入ノズルを連続的に使用し、溶液がすっかり消尽されたカートリッジのみを入れ替えることによってカートリッジの入れ替え時間を縮め、産業廃棄物の発生を低下させる。
【図１】
0005962858.tif 000002
【図２】
0005962858.tif 000003
【図３】
0005962858.tif 000004
【図４】
0005962858.tif 000005
【図５】
0005962858.tif 000006
【図６】
0005962858.tif 000007
【図７】
0005962858.tif 000008